(57)【要約】      （修正有）【課題】筆記の際に使用者に違和感を与えず、且つ細身の外観に形成できるシャープペンシルを提供する。【解決手段】シャープペンシルは、外筒２と、外筒２内に設けられたシャープユニットとを備える。シャープユニットは、外筒２内に配置された芯タンク３と、芯タンク３に取り付けられた芯繰り出し機構４と、外筒２の後端開口に挿入され、芯タンク３の後端部に取り付けられたノック部材３５とを備える。ノック部材３５には、シャープユニットを外筒２に対して相対回転させる回転モーメントを生じさせるための錘体６が設けられる。錘体６に作用する重力によって生じる回転モーメントの大きさＸと、外筒２のシャープユニットを保持する保持力Ｙとの関係が、Ｘ＞Ｙを満たしたときは、外筒２に対してシャープユニットが相対回転する。【選択図】図２
0003190048.tif 000002
【実用新案登録請求の範囲】
【請求項１】
内周面および外周面を有する外筒と、前記外筒内に回転自在に設けられたシャープユニットとを備え、
前記シャープユニットは、
内周面および外周面を有し、該外周面が前記外筒の前記内周面に対向するように前記外筒内に配置された芯タンクと、
前記芯タンクの前端部に取り付けられた芯繰り出し機構と、
前端が前記外筒の後端開口に挿入され、前記芯タンクの後端部に取り付けられたノック部材と、を備え、
前記芯タンク又は前記ノック部材には、前記シャープユニットを前記外筒に対して相対回転させる回転モーメントを生じさせるための錘体が設けられ、
前記錘体に作用する重力によって生じる前記回転モーメントの大きさＸと、前記外筒の前記シャープユニットを保持する保持力Ｙとの関係が、
Ｘ＞Ｙ
を満たしたときは、前記外筒に対して前記シャープユニットが相対回転することを特徴とするシャープペンシル。
【請求項２】
前記錘体が前記ノック部材に設けられ、
前記錘体の全体又は一部の前記ノック部材に対する相対位置を変更することにより、前記錘体による前記回転モーメントの大きさＸを調整可能としたことを特徴とする請求項１記載のシャープペンシル。
【請求項３】
前記錘体が前記ノック部材に設けられ、
前記錘体の全体又は一部の前記ノック部材に対する相対位置を変更することにより、前記芯タンクの軸心の鉛直方向からの傾き及び前記外筒に対する前記錘体の相対位置に拘らずにＸ≦Ｙとなるよう調整可能としたことを特徴とする請求項１又は２に記載のシャープペンシル。
【請求項４】
前記錘体は、前記ノック部材に設けられ、
前記錘体の一部が、前記芯タンクの軸心から径方向外方へ前記外筒の外周面よりも遠くに位置することを特徴とする請求項１から３のいずれかに記載のシャープペンシル。
【請求項５】
前記錘体は、前記芯タンクの外周又は内部に設けられていることを特徴とする請求項１記載のシャープペンシル。
【考案の詳細な説明】
【技術分野】
【０００１】
本考案は、シャープペンシルに関し、詳細には、片減りした芯の先端面を筆記面と常に対向させることができるシャープペンシルに関する。
【背景技術】
【０００２】
シャープペンシルにおいて、筆記により芯の先端に片減りが発生し、芯の直径よりも太い筆記幅となる。このようなシャープペンシルを握り替えても、片減りした芯の先端面を筆記面と常に対向させることにより、一定の筆記幅を維持でき、さらに滑らかな筆記を得られる技術が公開されている（特許文献１参照）。
【０００３】
詳述すると、このシャープペンシルは、外軸と、外軸の内部に回転自在に配置される中軸と、中軸の内部に固定配置される芯タンクと、芯タンクの前端部に取り付けられる芯繰り出し機構と、芯タンクの前端部に外嵌されると共に外軸の内周面に螺着する螺着部とを備えている。芯の先端が筆圧よりも少ない接触力で筆記面に接触すると、片減りした芯がその先端縁に沿って回転すると共に、芯繰り出し機構、芯タンク、螺着部及び中軸も一体となって回転し、芯の先端面が筆記面に接触するようになっている。また、中軸の表面の円周上の一部に錘体を取り付けることにより、芯、芯繰り出し機構、芯タンク、螺着部及び中軸が一体となって回転することを促進できる。
【先行技術文献】
【特許文献】
【０００４】
【特許文献１】特開２０１０−１２５７６８公報
【考案の開示】
【考案が解決しようとする課題】
【０００５】
ところで、特許文献１記載のシャープペンシルでは、外軸と芯タンクとの間に中軸が配置されると共に、この中軸が外軸内を回転自在となっている。そのため、外軸の径を大きくせざるを得ず、細身の外観とするのが困難であった。
【０００６】
また、特許文献１記載のシャープペンシルでは、芯の先端が筆記面に接触して芯が回転する際に使用者の手に伝わる感触が、使用者に違和感を与えることがあった。さらに、特許文献１記載のシャープペンシルでは、筆記の最中に芯が僅かにグラつくことがあり、その感触が使用者の手に伝わって違和感を与えることがあった。
【０００７】
本考案は、このような課題を解決するためになされたもので、筆記の際に使用者に違和感を与えず、且つ細身の外観に形成できるシャープペンシルを提供することを課題とする。
【課題を解決するための手段】
【０００８】
上記した課題を解決するために、本考案のうち第１の考案によれば、
内周面および外周面を有する外筒と、前記外筒内に回転自在に設けられたシャープユニットとを備え、
前記シャープユニットは、
内周面および外周面を有し、該外周面が前記外筒の前記内周面に対向するように前記外筒内に配置された芯タンクと、
前記芯タンクの前端部に取り付けられた芯繰り出し機構と、
前端が前記外筒の後端開口に挿入され、前記芯タンクの後端部に取り付けられたノック部材と、を備え、
前記芯タンク又は前記ノック部材には、前記シャープユニットを前記外筒に対して相対回転させる回転モーメントを生じさせるための錘体が設けられ、
前記錘体に作用する重力によって生じる前記回転モーメントの大きさＸと、前記外筒の前記シャープユニットを保持する保持力Ｙとの関係が、
Ｘ＞Ｙ
を満たしたときは、前記外筒に対して前記シャープユニットが相対回転することを特徴とするシャープペンシルが得られる。
【０００９】
第１の考案によれば、錘体に作用する重力によって生じる回転モーメントを利用してシャープユニットを外筒内で回転させる。この回転モーメントは、芯タンクの軸心の鉛直方向からの傾きや、外筒に対する錘体の相対位置に応じて変化する。つまり、Ｘ＞Ｙの関係を満たすとき、換言すると、回転モーメントの大きさＸが外筒の芯タンクを保持する力Ｙを上回るとき、シャープユニットが外筒内を回転すると共にチャックに挟持された芯も回転することとなる。そして、錘体が芯タンクの軸心に対して鉛直方向下側に到達すると、シャープユニットが回転を停止する。
【００１０】
また、本考案のうちの第２の考案によれば、第１の考案の特徴に加え、
前記錘体が前記ノック部材に設けられ、
前記錘体の全体又は一部の前記ノック部材に対する相対位置を変更することにより、前記錘体による前記回転モーメントの大きさＸを調整可能としたことを特徴とするシャープペンシルが得られる。
【００１１】
第２の考案によれば、ノック部材に対する錘体の相対位置を変更して、芯タンクの軸心から径方向外方の錘体までの距離を変更することにより、錘体による回転モーメントの大きさを変化させることができる。すなわち、芯タンクの軸心から錘体を遠ざけると回転モーメントは大きくなり、芯タンクの軸心の鉛直方向からの傾きや外筒に対する錘体の相対位置に応じてシャープユニットが回転し始める範囲が広くなるが、これとは逆に、錘体を芯タンクの軸心に近づけると回転モーメントは小さくなり、芯タンクの軸心の鉛直方向からの傾きや外筒に対する錘体の相対位置に応じてシャープユニットが回転し始める範囲が狭くなる。
【００１２】
また、本考案のうちの第３の考案によれば、第１又は第２の考案の特徴に加え、
前記錘体が前記ノック部材に設けられ、
前記錘体の全体又は一部の前記ノック部材に対する相対位置を変更することにより、前記芯タンクの軸心の鉛直方向からの傾き及び前記外筒に対する前記錘体の相対位置に拘らずにＸ≦Ｙとなるよう調整可能としたことを特徴とするシャープペンシルが得られる。
【００１３】
第３の考案によれば、ノック部材に対する錘体の相対位置を変更して、芯タンクの軸心から径方向外方の錘体まで距離を縮めることにより、回転モーメントの大きさＸが、外筒の芯タンクを保持する保持力Ｙ以下に保たれるため、シャープユニットが錘体の回転モーメントによる回転を行わなくなる。したがって、ノック部材に対する錘体の相対位置を変更することにより、シャープユニットの回転の有無を切換えることができる。
【００１４】
また、本考案のうちの第４の考案によれば、第１ないし第３の考案のいずれか一の特徴に加え、
前記錘体は、前記ノック部材に設けられ、
前記錘体の一部が、前記芯タンクの軸心から径方向外方へ前記外筒の外周面よりも遠くに位置することを特徴とするシャープペンシルが得られる。
【００１５】
第４の考案によれば、シャープユニットが所定の回転位置にさらに回転し易くなり、筆記の最中も芯が所定の回転位置にさらに安定し易くなる。また、ノック部材に錘体を設けることで、外筒内に錘体を設置するスペースが不要となり、従来よりも外筒の径を小さくして細身の外観とすることが可能である。
【００１６】
また、本考案のうち第５の考案によれば、第１の考案の特徴に加え、
前記錘体は、前記芯タンクの外周又は内部に設けられていることを特徴とするシャープペンシルが得られる。
【考案の効果】
【００１７】
本考案によれば、シャープペンシルを鉛直方向から所定以上傾けると、錘体に作用する重力によって回転モーメントが生じ、シャープユニットが外筒内で回転すると共にチャックに挟持された芯も回転する。そして、錘体が芯タンクの軸心に対して鉛直方向下側に到達すると、シャープユニットが回転を停止する。これにより、使用者が芯の先端を筆記面に接触させる前に、シャープユニットが所定の回転位置まで回転して、片減りした芯の先端面が筆記面に対向する状態となっているため、筆記の際に使用者へ違和感を与えずに済む。
また、本考案のシャープペンシルは、特許文献１記載のシャープペンシルの中軸に相当する部材を備えていない。したがって、従来よりも外筒の径を小さくして細身の外観とすることが可能である。また、従来よりも軽量なシャープユニットを回転させるため、スムースな回転が得られる。
また、本考案のうち第２ないし４の考案によれば、錘体は、芯の先端とは反対の後端側に位置するノック部材に設けられると共に、芯タンクの軸心から径方向外方へ芯タンクの外周面よりも遠くに位置している。これにより、筆記の最中に芯が所定の回転位置に安定しやすくなり、使用者へ違和感を与えずに済む。
【図面の簡単な説明】
【００１８】
【図１】実施の形態１に係るシャープペンシルを示す正面図である。
【図２】図１のＡ−Ａ’線部分断面図である。
【図３】図２の外筒単体を示す部分断面図である。
【図４】図２のシャープユニット単体を示す部分断面図である。
【図５】シャープペンシルの前端側部分を示す拡大断面図である。
【図６】ノック部材及び錘体を示す模式図である。
【図７】シャープユニットに作用する回転モーメントを示す説明図である。
【図８】実施の形態２に係るノック部材及び錘体を示す模式図である。
【図９】実施の形態３に係るノック部材及び錘体を示す模式図である。
【図１０】実施の形態４に係るノック部材及び錘体を示す模式図である。
【図１１】実施の形態５に係るノック部材及び錘体を示す模式図である。
【図１２】ノック部材及び錘体の変形例を示す模式図である。
【考案を実施するための最良の形態】
【００１９】
以下、図面を参照して本考案に係るシャープペンシルを説明する。
【００２０】
＜実施の形態１＞
本実施の形態に示すシャープペンシル１は、図１及び図２のように、内周面および外周面を有する外筒２と、外筒２内に回転自在に保持されるシャープユニット１０と、シャープユニット１０を外筒２に対して相対回転させる回転モーメントを生じさせるための錘体６とを備えている。
【００２１】
図３のように、外筒２は、前端及び後端を開口した筒状の筒本体２１と、この筒本体２１の前端部に螺着される円錐状の先具２２とを備えている。筒本体２１は、内周面２ａ及び外周面２ｂを有している。また、筒本体２１の後端部にはクリップ２５が取り付けられ、筒本体２１における前端側の部位にはグリッパー２６が周着されている。先具２２には、その後端から前端にかけて貫通した貫通穴２２ａが形成され、この貫通穴２２ａ内にシャープユニット１０の前端部分が回転自在に挿入されている。
【００２２】
シャープユニット１０は、図４のように、内部に複数の芯を収納可能な芯タンク３と、芯タンクの前端部に取り付けられた芯繰り出し機構４と、芯タンク３の後端部に取り付けられたノック部材３５とを備えている。芯タンク３は、内周面３ａ及び外周面３ｂを有する管状に形成されており、芯タンク３の内部は、複数の芯を収納可能な貯蔵部３ｃとなっている。また、ノック部材３５は、図３のように、筒本体２１の後端開口２ｃ（図３参照）に挿入されると共に、芯タンク３の後端部に取り付けられている。なお、ノック部材３５は、単一の部品で構成されていてもよいし、複数の部品により構成されてもよい。例えば、ノック部材３５は、芯タンク３の後端部に取り付けられる受け台と、受け台に載置される消しゴムと、消しゴムを保護するカバーとを有するように形成することができる。
【００２３】
本実施の形態で使用する芯繰り出し機構４は、既存の芯繰り出し機構と同様、ノック部材３５を押し下げる度に芯を前端方向へ繰り出す構造になっている。本実施の形態では、図５のように、芯を挟持する複数のチャック片４６を有し、芯タンク３の前端部に圧入されるチャック４２と、複数のチャック片４６にその背後から外嵌して複数のチャック片４６を閉じるチャックリング４３と、チャック４２に挿通されてチャック４２を後端方向へ付勢するチャックスプリング４４と、芯タンク３の前端部及びチャックスプリング４４の外周に遊嵌される筒状のスリーブ４７とを備えている。
【００２４】
なお、チャックスプリング４４の後端は、芯タンク３の前端縁３ｄに当接している。また、芯繰り出し機構４に関連して、先具２２の前端部分には、芯の過剰な飛び出しを防止する芯ホルダ４５が組み込まれている。芯ホルダ４５には、公知の技術を用いることができ、ここでは詳細な説明を省略する。
【００２５】
シャープユニット１０は、図５のように、クッションスプリング５２とリング部材５３とを備えている。クッションスプリング５２は、芯タンク３の外周におけるスリーブ４７の後端側の位置に挿通されており、このスリーブ４７を介して芯繰り出し機構４を前端方向へ付勢する。また、リング部材５３は、芯タンク３の外周におけるクッションスプリング４２の後端側の位置に挿通されている。
【００２６】
図３のように、先具２２の貫通穴２２ａは、前端方向にかけて段状に縮径した形状に形成されている。図５のように、貫通穴２２ａに芯繰り出し機構４を挿入した状態において、貫通穴２２ａに形成された段部２２ｂにスリーブ４７の前端が突き当たってこれ以上前進できず、貫通穴２２ａに形成された段部２２ｃにチャックリング４３の前端が突き当たってこれ以上前進できないようになっている。
【００２７】
図３のように、外筒２の筒本体２１の内周には、径方向内方へ突出した鍔部２４が形成されている。図５のように、この鍔部２４の前面にはリング部材５３が突き当っている。また、スリーブ４７は、クッションスプリング５２によって前端側に付勢されている。
【００２８】
また、スリーブ４７の前端部の内周には、径方向内方へ突出した鍔部４７ａが形成され、この鍔部４７ａの前面にはチャックリング４３が当接するようになっている。また、スリーブ４７内における鍔部４７ａの後端側の位置にチャックスプリング４４が配設され、チャックリング４３に対するチャック４２の相対的な移動に伴ってチャック４２のチャック片４６がチャックリング４３内から出没する構造になっている。
【００２９】
なお、シャープユニット１０は、上述のように、スリーブ４７の前端が貫通穴２２ａの段部２２ｂに突き当たると共に、クッションスプリング５２がリング部材５３を介して筒本体２１の鍔部２４に突き当たることにより、外筒２の内部で回転自在に保持されている。錘体６によりノック部材３５に回転モーメントが生じると、ノック部材３５が回転すると共に芯タンク３及び芯繰り出し機構４が外筒２内で回転し、チャック４２の挟持する芯も回転するようになっている。
【００３０】
続いて、外筒２の外方に配設される錘体６について説明する。
錘体６は、図６のようにノック部材３５に設けられている。具体的には、錘体６は、ノック部材３５の側周面から芯タンク３の軸心に対して略垂直方向へ延設された棒状のアーム部６３と、アーム部６３の端部に取り付けられた錘部６２とを備えている。この錘部６２は、芯タンク３の軸心から径方向外方へ外筒２の筒本体２１の外周面よりも遠くに位置している。
【００３１】
このため、シャープペンシル１の芯先が筆記面から離れると共に芯タンク３の軸心が鉛直方向よりも傾いた状態となると、図７のように、錘体６に作用する重力Ｇよって生じる回転モーメントＭに起因してノック部材３５が回転し、これにより芯タンク３及び芯繰り出し機構４も外筒２内で回転する。詳細には、シャープペンシル１の芯先が筆記面から離れた場合において、芯タンク３の軸心の鉛直方向からの傾き及び外筒２に対する錘体６の相対位置に応じて変化する回転モーメントＭが、シャープユニット１０に作用する。この回転モーメントＭの大きさを「Ｘ」とし、外筒２のシャープユニット１０を保持する保持力を「Ｙ」とすれば、Ｘ＞Ｙの関係を満たすことで外筒２に対してシャープユニット１０が回転するようになっている。つまり、回転モーメントＭの大きさＸが外筒２の芯タンク３を保持する力Ｙを上回ると、シャープユニット１０が外筒内を回転すると共にチャック４２に挟持された芯も回転することとなる。そして、錘体６が芯タンク３の軸心に対して鉛直方向下側に到達すると、シャープユニット１０が回転を停止する。
【００３２】
なお、上記で外筒２のシャープユニット１０を保持する保持力Ｙは、芯繰り出し機構４（チャックリング４３やスリーブ４７）の外周面と外筒２の内周面との間に生じる摩擦力や、ノック部材３５の外周面と外筒２の内周面２ｂとの間に生じる摩擦力、リング部材５３と筒本体２１の鍔部２４との間に生じる摩擦力などによって定義できる。
【００３３】
このように本実施の形態によれば、シャープペンシル１を鉛直方向から所定以上傾けると、錘体６に作用する重力によって回転モーメントＭが生じ、シャープユニット１０が外筒２内で回転すると共にチャック４２に挟持された芯も回転する。そして、錘体６が芯タンク３の軸心に対して鉛直方向下側に到達すると、シャープユニット１０が回転を停止する。これにより、使用者が芯の先端を筆記面に接触させる前に、シャープユニット１０が所定の回転位置まで回転して、片減りした芯の先端面が筆記面に対向する状態となっているため、筆記の際に使用者へ違和感を与えずに済む。
【００３４】
また、本実施の形態のシャープペンシル１は、特許文献１記載のシャープペンシルの中軸に相当する部材を備えていない。したがって、従来よりも外筒２の径を小さくして細身の外観とすることが可能である。また、従来よりも軽量なシャープユニット１０を回転させるため、スムースな回転が得られる。
【００３５】
また、本実施の形態によれば、錘体６が、芯の先端とは反対の後端側に位置するノック部材３５に設けられると共に、錘部６２が、芯タンク３の軸心から径方向外方へ芯タンク３及び外筒２の外周面よりも遠くに位置している。これにより、筆記の最中に芯が所定の回転位置に安定しやすくなり、使用者へ違和感を与えずに済む。
【００３６】
ここで、クッションスプリング５２の後端が筒本体２１の鍔部２４に当接するように形成した場合に、クッションスプリング５２がスリーブ４７と筒本体２１の鍔部２４との間に介在することとなり、クッションスプリング５２のばね力がシャープユニット１０の回転を阻害することとなる。そこで、本実施の形態では、クッションスプリング５２と筒本体２１の鍔部２４との間にリング部材５３を設けることにより、シャープユニット１０の回転がクッションスプリング５２のばね力により阻害されることを抑制している。
【００３７】
なお、上記した実施の形態１は、あくまでも本考案の一実施形態に過ぎず、本考案の要旨を逸脱しない範囲内において変更可能である。以下、その変更例について説明する。また、下記実施形態に示す構造は、実施の形態１に示す構造とほぼ共通するため、共通の符号を付して説明する。
【００３８】
＜実施の形態２＞
実施の形態１では、ノック部材３５に対してアーム部材６３が不動に固定されているが、実施の形態２では、図８のようにノック部材３５に可倒式のアーム部６３が取り付けられている。
実施の形態２において、アーム部６３が芯タンク３の軸心に対して略垂直方向へ伸びるように位置し、錘部６２が芯タンク３の軸心から径方向外方へ外筒２の筒本体２１の外周面よりも遠くに位置する場合（図８の一点鎖線参照）には、実施の形態１と同様、シャープペンシル１を鉛直方向から所定以上傾けると、錘体６に作用する重力によって回転モーメントＭが生じ（Ｘ＞Ｙ）、シャープユニット１０が外筒２内で回転すると共にチャック４２に挟持された芯も回転する。これに対し、アーム部６３が芯タンク３の軸心上に伸びて錘部６２が芯タンク３の軸心上に位置する場合（図８の実線参照）には、シャープペンシル１を鉛直方向から所定以上傾けても回転モーメントＭが生じないため（Ｘ≦Ｙ）、シャープユニット１０が外筒２に対して回転せずに回転位置を維持する。
【００３９】
＜実施の形態３＞
実施の形態１では、ノック部材３５に対して錘体６が不動に固定されているが、実施の形態３では、ノック部材３５に対して錘体６が接離自在に設けられ、ノック部材３５に対する錘部６２の相対位置を変更できるようになっている。これによって芯タンク３の軸心から径方向外方の錘部６２までの距離を変更することにより、錘体６による回転モーメントＭの大きさを変化させることができる。
具体的には、図９のように、一端に錘部６２を固定されたアーム部６３は、シャープユニット１０の軸心に対して略垂直方向にノック部材３５を貫通すると共に、ノック部材３５に対してスライド自在に設けられている（図９中矢印Ａ参照）。アーム部６３をノック部材３５に対してスライドさせることにより、ノック部材３５から錘部６２までの距離を変更することができ、したがって、芯タンク３の軸心から径方向外方の錘部６２までの距離を変更することができる。
これにより、ノック部材３５から錘部６２を遠ざけると回転モーメントＭが大きくなり、芯タンク３の軸心の鉛直方向からの傾きや外筒２に対する錘体６の相対位置に応じてシャープユニット１０が回転し始める範囲が広くなる。これに対し、錘部６２を芯タンクの軸心に近づけると回転モーメントＭが小さくなり、芯タンク３の軸心の鉛直方向からの傾きや外筒２に対する錘体６の相対位置に応じてシャープユニット１０が回転し始める範囲が狭くなる。
【００４０】
＜実施の形態４＞
実施の形態１では、ノック部材３５に対して錘体６が不動に固定されているが、実施の形態４では、ノック部材３５に対して錘体６が接離自在に設けられ、ノック部材３５に対する錘部６２の相対位置を変更できるようになっている。
具体的には、図１０のように、ノック部材３５に対してアーム部６３が設けられると共に、このアーム部６３に錘部６２が貫通されており、この錘部６２がアーム部６３上にスライド自在に設けられている（図１０中矢印Ｂ参照）。錘部６２にアーム部６３上をスライドさせることで、ノック部材３５から錘部６２までの距離を変更することができ、したがって、芯タンク３の軸心から径方向外方の錘部６２までの距離を変更することができる。これにより、実施の形態３と同様の作用・効果が得られる。
【００４１】
＜実施の形態５＞
実施の形態１では、ノック部材３５に対してアーム部材６３が不動に固定されているが、実施の形態５では、ノック部材３５に対して錘体６が着脱自在に装着されている。
具体的には、図１１のように、錘体６には、錘部６２と、外筒２の筒本体２１又はノック部材３５を抱持するアーム部材６３とが設けられている。アーム部６３がノック部材３５を抱持して錘体６がノック部材３５に装着され、錘部６２が芯タンク３の軸心から径方向外方へ芯タンク３の外周面よりも遠くに位置する場合（図１１の実線参照）には、実施の形態１と同様、シャープペンシル１を鉛直方向から所定以上傾けると、錘体６に作用する重力によって回転モーメントＭが生じ（Ｘ＞Ｙ）、シャープユニット１０が外筒２内で回転すると共にチャック４２に挟持された芯も回転する。これに対し、アーム部６３が筒本体２１を抱持して錘体６が筒本体２１に装着された場合（図８の一点鎖線参照）には、シャープペンシル１を鉛直方向から所定以上傾けても回転モーメントＭが生じないため（Ｘ≦Ｙ）、シャープユニット１０が外筒２に対して回転せずに回転位置を維持する。
【００４２】
このように錘体６をシャープユニット１０以外（例えば、外筒２やクリップ２５など）に装着することにより、シャープペンシル１を傾けてもシャープユニット１０が回転しない状態で使用することができる。なお、錘体６をノック部材３５の後端に装着して芯タンク３の軸心上に位置させることにより、シャープペンシル１を傾けてもシャープユニット１０が回転しない状態となるように形成してもよい。また、錘体６と錘体６の装着部位のいずれか一方に凸部を形成し、いずれか他方に凹部（又は孔部）を形成し、凸部と凹部（又は孔部）とを嵌合させることにより、錘体６を装着部位に取り付けるようにしてもよい。
【００４３】
＜その他＞
ノック部材３５や錘体６の形状は、上記した実施の形態に限定されるものでない。例えば、図１２のように、飛行機、自動車、建物、動物、キャラクターなどのフィギュア３７をノック部材３５に形成し、このフィギュア３７の一部を錘体６とすることも可能である。
【００４４】
また、実施の形態１では、棒状のアーム部６３によって錘部６２とノック部材３５を連結しているが、棒状のアーム部６３に換えて鎖や紐などで錘部６２とノック部材３５を連結してもよい。この場合、錘部６２が芯タンク３の軸心から径方向外方へ外筒２の筒本体２１の外周面よりも遠くに位置するように、鎖や紐の長さを調整することが望ましい。
【００４５】
また、芯タンク３の外周又は内部に錘体６を設けることも可能である。
なお、本考案は、上記した実施の形態に限定されるものでなく、本考案の要旨を逸脱しない範囲内において変更可能である。
【符号の説明】
【００４６】
１  シャープペンシル                    １０  シャープユニット
２  外筒                                ２ａ  外筒の内周面
２ｂ  外筒の外周面                      ２ｃ  後端開口
２１  筒本体                            ２２  先具
２２ａ  貫通穴                          ２２ｂ  段部
２２ｃ  段部                            ２４  鍔部
２５  クリップ                          ２６  グリッパー
３  芯タンク                            ３ａ  芯タンクの内周面
３ｂ  芯タンクの外周面                  ３ｃ  貯蔵部
３ｄ  芯タンクの前端縁
３５  ノック部材                        ３７  フィギュア
４  芯繰出し機構                        ４２  チャック
４３  チャックリング                    ４４  チャックスプリング
４５  芯ホルダ                          ４６  チャック片
４７  スリーブ                          ４７ａ  鍔部
５２  クッションスプリング              ５３  リング部材
６  錘体                                ６２  錘部
６３  アーム部
【図１】
0003190048.tif 000003
【図２】
0003190048.tif 000004
【図３】
0003190048.tif 000005
【図４】
0003190048.tif 000006
【図５】
0003190048.tif 000007
【図６】
0003190048.tif 000008
【図７】
0003190048.tif 000009
【図８】
0003190048.tif 000010
【図９】
0003190048.tif 000011
【図１０】
0003190048.tif 000012
【図１１】
0003190048.tif 000013
【図１２】
0003190048.tif 000014